(57)【特許請求の範囲】
【請求項１】
シート本体と、このシート本体に形成され且つそれぞれ異なる肌角層剥離状態を複数の肌角層剥離量モデル部で表示した肌角層剥離量表示部と、前記シート本体に形成され且つそれぞれ異なる肌皮脂量状態を複数の肌皮脂量モデル部で表示した肌皮脂量表示部とを備えていることを特徴とする肌表面状態評価シート。
【請求項２】
前記肌表面状態評価シートが、更に前記シート本体に貼り付けられ且つそれぞれ異なる肌表面に対応した表面状態に形成された複数の肌表面模擬片で表示した肌表面評価表示部を備えていることを特徴とする請求項１に記載の肌表面状態評価シート。
【請求項３】
前記肌表面評価表示部における前記各肌表面模擬片が、表面の疎度及び滑らかさの異なる複数の布地から構成されていることを特徴とする請求項２に記載の肌表面状態評価シート。
【請求項４】
前記肌表面評価表示部における前記各肌表面模擬片が、それぞれ異なる肌表面に対応した表面状態に形成されたシリコーン樹脂から構成されていることを特徴とする請求項２に記載の肌表面状態評価シート。
【請求項５】
それぞれ異なる肌角層剥離状態を複数の肌角層剥離量モデル部で表示した肌角層剥離量表示部と、それぞれ異なる肌皮脂量状態を複数の肌皮脂量モデル部で表示した肌皮脂量表示部とを用意し、表面に粘着剤が塗布された角層剥離テープを人の肌に貼り付けた後それを剥がして角層剥離量を前記肌角層剥離量表示部と照らし合わせて比較評価すること、次いで皮脂吸収紙を人の肌に押し付けて後その表面の変化を前記肌皮脂量表示部と照らし合わせて比較評価することから構成されていることを特徴とする肌表面状態評価方法。
【請求項６】
前記肌表面状態評価方法が、更に、それぞれ異なる肌表面に対応する表面状態に形成された複数の肌表面模擬片で表示した肌表面評価表示部を用意し、前記肌表面模擬片の各々と実際の肌表面とを手指で摩擦して比較評価することを含んでなる請求項５に記載の肌表面状態評価方法。
【発明の詳細な説明】
【０００１】
【産業上の利用分野】
本発明は肌表面状態評価シート及び評価方法に関し、更に詳細には肌の手入れ方法及び化粧品の選択を行うために肌の状態を客観的に評価するために用いる肌表面状態評価シート及び評価方法に関する。
【０００２】
【従来の技術】
従来、肌に最も適した手入れ方法や肌に適正な化粧品を選択するには、肌の性状を熟知した専門家による肌理（キメ）の細やかさ及び滑らかさという肌理分析などを含む種々の要素についての正確な診断評価に基づいたカウンセリングによる方法が一般的であった。
【０００３】
しかし、専門家によるカウンセリングは、受診の機会が得にくい。また、より精密にこれらの肌状態を評価しようとする時には、その取り扱いにある程度熟練した技術を要する機器を用いる場合が少なくない。しかし、このような機器を取り扱うことのできる専門家の数は少なく、従って、多くの人がこれを効率的に受診することは難しかった。
【０００４】
また、このようなカウンセリングで示される自己の肌状態の評価は、受診者が自らの触覚や視覚を駆使することによる実感として獲得するものではないため、受診者においてその評価結果への信頼性に疑念を抱かせる虞もあった。
【０００５】
これに代わる簡易なカウンセリング方法も従来種々存在していたが、これらの方法もその多くは問診を中心とするものであったため、やはり受診者に対し充分な実感を伴った評価は示し得なかった。
【０００６】
一方で、一部肌の形態を模擬した見本を用い、実際に受診者が自己の五感をもって、これを自己の肌状態と比較することにより皮膚の含有する水分或いは皮脂の状態を評価する方法も存在していた。
【０００７】
【発明が解決しようとする課題】
しかし、これらの従来方法は、肌理の細やかさや滑らかさという肌の表面状態を評価することを第一義的な目的とするものではなかった。また、これらの従来方法は、肌の弾性に関する評価、或いは皮膚の含有する水分や皮脂の状態に関する評価などをそれぞれ単体で行うものであったため、受診者にとって自己の肌状態について複数の要素を総合的にかつ簡便に評価しようとする上では不便が生じていた。
【０００８】
本発明の目的は、かかる従来の問題点を解決するためになされたもので、肌の手入れ方法や化粧品を選択する際の基準となる自己の肌の表面状態など複数の要素を、専門家の手を借りずに、自己の触覚を中心に客観的にかつ簡便に評価することのできる肌表面状態評価シート及び評価方法を提供することにある。
【０００９】
【課題を解決するための手段】
本発明は肌表面状態評価シートであり、前述した技術的課題を解決するために以下のように構成されている。すなわち、本発明の肌表面状態評価シートは、シート本体と、このシート本体に形成され且つそれぞれ異なる肌角層剥離状態を複数の肌角層剥離量モデル部で表示した肌角層剥離量表示部と、シート本体に形成され且つそれぞれ異なる肌皮脂量状態を複数の肌皮脂量モデル部で表示した肌皮脂量表示部とを備えていることを特徴とする。
【００１０】
＜本発明における付加的構成＞
本発明の肌表面状態評価シートは、前述した必須の構成要素からなるが、その構成要素に更に以下のような構成を加えた場合であっても成立する。その付加的構成要素とは、更にシート本体に貼り付けられ且つそれぞれ異なる肌表面に対応した表面状態に形成された複数の肌表面模擬片で表示した肌表面評価表示部を備えていることを特徴とする。
【００１１】
＜本発明における具体的構成＞
本発明の肌表面状態評価シートは、前述した必須の構成要素からなるが、その構成要素が具体的に以下のような場合であっても成立する。その具体的構成要素とは、前記肌表面評価表示部における前記各肌表面模擬片を、表面の疎度及び滑らかさの異なる複数の布地から構成することができ、或いは肌表面模擬片を、それぞれ異なる肌表面に対応した表面状態に形成されたシリコーン樹脂で形成することができる。
【００１２】
更に、本発明は肌表面状態評価方法であり、前述した技術的課題を解決するために以下のように構成されている。すなわち、本発明の肌表面状態評価方法は、それぞれ異なる肌角層剥離状態を複数の肌角層剥離量モデル部で表示した肌角層剥離量表示部と、それぞれ異なる肌皮脂量状態を複数の肌皮脂量モデル部で表示した肌皮脂量表示部とを用意し、表面に粘着剤が塗布された角層剥離テープを人の肌に貼り付けた後それを剥がして角層剥離量を前記肌角層剥離量表示部と照らし合わせて比較評価すること、次いで皮脂吸収紙を人の肌に押し付けて後その表面の変化を前記肌皮脂量表示部と照らし合わせて比較評価することから構成されていることを特徴とする。
【００１３】
＜本発明における付加的構成＞
本発明の肌表面状態評価方法は、前述した必須の構成要素からなるが、その構成要素に更に以下のような構成を加えた場合であっても成立する。その付加的構成要素とは、更に、それぞれ異なる肌表面に対応する表面状態に形成された複数の肌表面模擬片で表示した肌表面評価表示部を用意し、前記肌表面模擬片の各々と実際の肌表面とを手指で摩擦して比較評価することを含んで構成されていることを特徴とする。
【００１４】
前述した本発明の肌表面状態評価シート及び評価方法によると、適正な化粧品を選択するに当たって、使用者は表面に粘着剤が塗布された肌角層剥離テープを例えば頬などに貼り付けた後それを剥がし、当該肌角層剥離テープの粘着剤層に付着した肌角層の剥離状態を、シート本体に設けられた肌角層剥離量表示部における複数の肌角層剥離量モデル部と照らし合わせて最も近似する肌角層剥離状態を選ぶ。これより、肌荒れの程度がどのランクに属するかの判定（評価）する。
【００１５】
次いで、皮脂吸収紙を例えば顔の額に押し付けた後その表面の変化を肌皮脂量表示部に照らし合わせて最も近似する肌皮脂量状態を選ぶ。選ばれた肌皮脂量状態を参考にして評価欄から、例えば「脂っぽいところ」と「脂がすくないところ」のいずれかを選んで判定（評価）する。そして、この２つの判定から肌の状態を割り出し、この肌に最も適した化粧品の使用や手入れ法をアドバイスする。このアドバイスコメントもシート本体に表示されている。
【００１６】
なお、このような肌の角層剥離状態（カサつき度チェック）や皮脂量状態（脂っぽさ度チェック）による総合判定により欠点改善の手入れを繰り返し、肌理分析でその効果を確認することができる。すなわち、良い肌の条件としては、カサつき度チェックに影響を与える水分と脂っぽさ度チェックの脂分のバランスが取れていることである。これら両指標を改善することによって、結果的につるつる度が上がることになる。
【００１７】
【発明の実施の形態】
以下、本発明の肌表面状態評価シート及び評価方法を図に示される実施の形態について更に詳細に説明する。図１には本発明の一実施形態である肌表面状態評価シート１０が示されている。この肌表面状態評価シート１０は、紙製のシート本体１１を含む。このシート本体１１は２つ折りにされて全４ページが確保され、１ページの大きさはＢ５判とされている。
【００１８】
この２つ折りのシート本体１１における第１ページ１１ａは、参考的に設けられた肌理分析手段が記載されている。すなわち、この第１ページ１１ａには、図２に示されるように「あなたの肌はどのくらいつるつる！？」とのタイトルが記載された表題欄１２が設けられ、肌理分析のページであることが示されている。
【００１９】
この表題欄１２の下には、肌表面評価表示部１３が形成されている。この肌表面評価表示部１３は、それぞれ異なる肌表面に対応した表面状態に形成された４つの肌表面模擬片１３ａ〜１３ｄをシート本体１１に貼り付けて構成されている。これら４つの肌表面模擬片１３ａ〜１３ｄは、それぞれの表面の滑らかさが段階的に異なる四角形の布片で構成されている。
【００２０】
人間の肌表面の性状は、滑らかさ等の官能用語で表現されるため、４つの肌表面模擬片１３ａ〜１３ｄにおいて最左端に位置する最も表面が滑らかな肌表面模擬片１３ａの下には、「つるつるすべすべ」の名称を付けた付記欄１４ａが設けられている。
【００２１】
また、最右端に位置する最も表面がかさついた肌表面模擬片１３ｄの下には、「カサカサゴワゴワ」の名称を付けた付記欄１４ｂが設けられている。この２つの付記欄１４ａ、１４ｂの間には、他の２つの肌表面模擬片１３ｂ、１３ｃが肌表面模擬片１３ａと肌表面模擬片１３ｄとの間に位置する中間状態で且つそれらの間の変化過程であることを表示すべく両端に矢印が付いた双方向矢印線１４ｃが設けられている。
【００２２】
この布片としては、例えば「つるつるすべすべ」の肌表面模擬片１３ａには２００メッシュ以上４００メッシュ以下のアセテートサテンを、肌表面模擬片１３ｂには１２５メッシュ以上２００メッシュ以下のアセテートサテンを、また肌表面模擬片１３ｃには８５メッシュ以上１２５メッシュ以下のアセテートサテンを、そして「カサカサゴワゴワ」の肌表面模擬片１３ｄには７５メッシュ以上８５メッシュ以下の綿ブロードを使用することが好ましい。
【００２３】
また、このような肌表面模擬片として、ポリエステルスクリーン等も含め種々の布地を使用することができる。布地表面の平均摩擦係数の変動の度合いで滑らかさの段階を特定する場合には、その布地の各々の表面に５０グラムの摩擦子をのせ、これを１ｍｍ／ｓｅｃの速度で移動させた場合に生じる動摩擦の平均摩擦係数の変動の度合いが、０．８０以上１．１５未満、１．１５以上１．６０未満、１．３５以上１．８０未満、１．８０以上２．９０未満の各場合が前述した４つの肌表面模擬片に対応する。
【００２４】
この場合における平均摩擦係数の変動の度合いの計測については、株式会社カトーテックの摩擦感テスターＫＥＳ−ＳＥを使用することができる。なお、平均摩擦係数は、摩擦子にかかる摩擦力を摩擦子の荷重で除して求めた値である。また、布地としてポリエステルスクリーンを使用する場合には、そのポリエステルスクリーンの平均摩擦係数の変動の度合いが、０．９０前後、１．３８前後、１．５６前後、２．３６前後、３．２５前後で前述した肌状態に最も近似して対応する。
【００２５】
左側の付記欄１４ａの真下と右側の付記欄１４ｂの真下には、それぞれ肌理評価欄１５ａ、１５ｂが設けられている。前者の肌理評価欄１５ａは「つるつる感触はいい肌のひとつのしるし」との文章で文字表示され、後者の肌理評価欄１５ｂは「カサカサ感触はちょっと心配なサイン」との文章で文字表示されている。これにより、肌理の状態が肌表面模擬片１３ａ、１３ｂに属する時には肌理評価欄１５ａを選び、肌理の状態が肌表面模擬片１３ｃ、１３ｄに属する時には肌理評価欄１５ｂを選ぶ。この評価シートを使って肌理の状態を判断する場合には、使用者が自分の触覚で確認する。
【００２６】
２つ折りのシート本体１１を広げると、左側が第２ページ１１ｂ、右側が第３ページ１１ｃとなる。第２ページ１１ｂは、図３に示されるように▲１▼肌荒れ分析のページである。すなわち、この第２ページ１１ｂには、上部に「カサつき度チェック」とのタイトルが記載された表題欄１６が設けられ、肌荒れ分析のページであることが示されている。そして、この表題欄１６の下には肌角層剥離量表示部１７が形成されている。
【００２７】
この肌角層剥離量表示部１７は、それぞれ異なる肌角層剥離状態を表示する４つの肌角層剥離量モデル部１７ａ〜１７ｄが横一列に並んで構成されている。各肌角層剥離量モデル部１７ａ〜１７ｄは、写真を印刷表示したものである。これらの各肌角層剥離量モデル部１７ａ〜１７ｄは、事前に多くの対象者について肌角層剥離テープを肌、特に頬に貼り付けて剥がした時のテープ粘着剤層に付着した肌角層剥離状態を写真に撮って収集し、それらを統計処理して肌角層剥離状態を４段階に分け、各段階の平均的な肌角層剥離状態を写真で印刷表示したものである。
【００２８】
最も左側に位置する肌角層剥離量モデル部１７ａは、薄く均一に肌角層が剥離する良好状態であり、従ってその下には「うすく均一」と記載された付記欄１８ａが設けられ、これに隣接する肌角層剥離量モデル部１７ｂ、１７ｃの下にはこれら２つのモデル部に架かるように「所々重なりあって不均一」と記載された共通の付記欄１８ｂが設けられている。
【００２９】
更に、これに隣接する最も右側の肌角層剥離量モデル部１７ｄの下には「あつく重なりあって不均一」と記載された付記欄１８ｃが設けられている。４つの肌角層剥離量モデル部を横一列に配置して構成された各肌角層剥離量表示部１７の右下には、後述する肌表面状態評価シートの使い方で説明されている肌角層剥離テープを検査する場所として黒丸を印刷した検査部１９が設けられている。
【００３０】
すなわち、頬などに貼り付けた肌角層剥離テープを剥がした後、それをこの検査部１９の上に浮かせて位置決めし、この検査部１９の黒色を背景にして肌角層剥離テープに付着している肌角層の剥離状態を見る。そして、この検査部１９を挟んで肌角層剥離量表示部１７の下方には、２つの肌角層剥離量評価欄２０ａ、２０ｂが設けられている。
【００３１】
前者の肌角層剥離量評価欄２０ａは「うすく均一にはがれるのはうるおいがある状態」との文章で文字表示され、２つの肌角層剥離量モデル部１７ａ、１７ｂに架かるように細長く形成されている。また、後者の肌角層剥離量評価欄２０ｂは「何層も重なりあってはがれるのはうるおい不足が原因」との文章で文字表示され、２つの肌角層剥離量モデル部１７ｂ、１７ｄに架かるように細長く形成されている。
【００３２】
これにより、肌剥離テープで採取した肌角層剥離量の状態が、２つの肌角層剥離量モデル部１７ａ、１７ｂに属する場合には前者の角層剥離量評価欄２０ａを選び、また他の２つの肌角層剥離量モデル部１７ｃ、１７ｄに属する時には肌角層剥離量評価欄２０ｂを選ぶことになる。
【００３３】
次に、シート本体１１の第３ページ１１ｃは、▲２▼皮脂分析のページである。すなわち、この第３ページ１１ｃには、図４に示されているように、その上部に「脂っぽさ度チェック」とのタイトルが記載された表題欄２１が設けられ、皮脂分析のページであることが示されている。そして、この表題欄２１の下方におけるこのページのほぼ全面に人の顔の絵２２がイラスト的に書かれている。
【００３４】
この絵２２の顔における額部には額皮脂量表示部２３が設けられ、この額皮脂量表示部２３は異なる３種類の肌皮脂量の状態を表示する額皮脂量モデル部２３ａ〜２３ｃを横一列に配置して構成されている。そして、各額皮脂量モデル部２３ａ〜２３ｃの下には左から「多い」、「ふつう」、「少ない」の文字が付記されている。
【００３５】
また、この絵２２の顔における頬部には頬皮脂量表示部２４が設けられ、この頬皮脂量表示部２４は異なる３種類の肌皮脂量の状態を表示する頬皮脂量モデル部２４ａ〜２４ｃを縦一列に配置して構成されている。そして、各頬皮脂量モデル部２４ａ〜２４ｃの右横には上から「多い」、「ふつう」、「少ない」の文字が付記されている。
【００３６】
額及び頬におけるそれぞれ異なる３種類の肌皮脂量の状態を表示する額皮脂量モデル部２３ａ〜２３ｃ及び頬皮脂量モデル部２４ａ〜２４ｄは、予め皮脂吸収紙で多くの対象者の額及び頬における皮脂量データを採取し、統計処理をして各々の皮脂量を３段階に分け、各段階の平均的な皮脂吸収紙を写真で表示したものである。
【００３７】
そして、その結果として２つの評価欄２５、２６が、絵２２の下のスペースに左右に並んで配置されている。前者の皮脂量評価欄２５は「脂っぽいところ」との文章による文字表示部２５ａと脂っぽさの目安となる皮脂量濃度表示部２５ｂとで構成されている。また、後者の皮脂量評価欄２６も同様に、「脂が少ないところ」との文章による文字表示部２６ａと脂が少ない状態の目安となる皮脂量濃度表示部２６ｂとで構成されている。
【００３８】
これにより、後述する肌表面状態評価シートの使い方で説明されているように額部と頬部にそれぞれ貼り付けた２枚の皮脂吸収を剥がした後、皮脂吸収紙の表面変化を見て、前述した額皮脂量モデル部２３ａ〜２３ｃ及び頬皮脂量モデル部２４ａ〜２４ｄを参考にすると共に皮脂量評価欄２５、２６における皮脂量濃度表示部２５ｂ、２６ｂで再確認して脂っぽいか、或いは脂が少ないかのいずれかを決める。
【００３９】
最後に、シート本体１１の第４ページ１１ｄは総合分析のページであり、前述した▲１▼肌荒れ分析、及び▲２▼皮脂分析の２項目を総合的に分析した結果に応じて、各肌の状態に関する簡単な情報及びそれぞれの状態に応じた肌の手入れ方法についての指針、選択する化粧品等が記載されている。
【００４０】
すなわち、この第４ページ１１ｄには、上部に「お手入れアドバイス」とのタイトルを記載した表題欄２７が設けられ、総合分析のページであることが示されている。そして、この表題欄２７の下には肌手入れ法指針表２８が掲載されている。
【００４１】
この肌手入れ法指針表２８は、前述した▲１▼肌荒れ分析、▲２▼皮脂分析の２項目を総合的に分析して、「脂っぽさが気になるとき」、及び「カサつきが気になるとき」の２つに分類された縦欄２８ａ、２８ｂを備えている。
【００４２】
更に、この肌手入れ法指針表２８は、前述の如く２つに分類された縦欄２８ａ、２８ｂを、上から「クリーン」、「アクティブ」、「モイスチャー」及び「プロテクト」の４つの手入れ欄２９ａ〜２９ｄに区切られ、それらの各該当欄にはそれぞれについての肌の手入れ方法や最適な化粧品が記載されている。ここで使用している用語「クリーン」とは、いわゆる洗顔のことであり、また「アクティブ」及び「モイスチャー」とは、いわゆる基礎化粧の過程であり、「プロテクト」とはいわゆるメークのことを意味している。
【００４３】
次に、前述した実施形態に係る肌表面状態評価シートの使い方、言い換えれば肌表面状態評価方法について説明する。適正な化粧品の選択或いは肌の手入れをするに当たって、使用者は最初に、シート本体１１の第１ページ１１ａをめくって第２ページ１１ｂを広げ、▲１▼肌荒れ分析を行う。
【００４４】
この肌表面状態評価シート１０には、肌角層剥離テープ及び皮脂吸収紙が添付されている。肌荒れ分析では、添付の肌角層剥離テープを使用して行う。すなわち、この肌角層剥離テープを例えば頬などに貼り付けた後それを剥がす。
【００４５】
そして、この肌角層剥離テープをシート本体１１の第２ページ１１ｂに形成された検査部１９上に、その表面から浮かせて配置し、肌角層剥離テープの粘着剤層に付着した角層の剥離状態を確認し、肌角層剥離量表示部１７における複数の肌角層剥離量モデル部１７ａ〜１７ｄと照らし合わせて最も近似する肌角層剥離状態を選び、最終的に、肌荒れの程度がどのランクに属するか、言い換えれば２つの肌角層剥離量評価欄２０ａ、２０ｂのいずれに属するかを自分自身で判定（評価）をする。
【００４６】
この肌荒れ分析が終わると、次に右側の第３ページ１１ｃを見ながら▲２▼皮脂分析を行う。この皮脂分析も、添付の２枚の皮脂吸収紙を額と頬とに押し付けた後それぞれの皮脂吸収紙の表面変化状態を、絵２２の額部に設けられた３種類の肌皮脂量モデル２３ａ〜２３ｃに照らし合わせ、その中から最も近似するものを選ぶ。
【００４７】
他方、頬に押し付けた皮脂吸収紙の表面変化状態については、絵２２の頬部に設けられた３種類の頬皮脂量モデル部２４ａ〜２４ｃから最も近似するものを選ぶ。そして、選ばれた額皮脂量モデル部と頬皮脂量モデル部とから、皮脂量評価結果欄２５、２６における皮脂量濃度表示部２５ｂ、２６ｂと文字表示部２５ａ、２６ａとを参考にして肌の脂っぽさの程度がどのランクに属するか、言い換えれば２つの皮脂量評価欄２５、２６のいずれに属するかを自分自身で判定（評価）をする。
【００４８】
その後、２つの分析結果（判定）から第４ページ１１ｄにおけるお手入れアドバイスを参照し、肌手入れ法指針表２８における該当縦欄を選び、洗顔、基礎化粧、及びメークなどの各欄における記載から、最もその肌に適した手入れ方法又は使用する化粧品などを参考にして欠点を改善する。
【００４９】
なお、シート本体１１の第１ページ１１ａを用いて行う肌理分析は、第４ページ１１ｄに記載された肌手入れ法指針表２８の総合結果を選択する直接の要素とはならない。しかし、良い肌の条件としては、カサつき度チェックに影響を与える水分と脂っぽさ度チェックの脂分のバランスが取れていることである。
【００５０】
すなわち、これら両指標（カサつき度や脂っぽさ度）を改善することによって、結果的につるつる度が上がることになる。従って、肌の角層剥離状態（カサつき度チェック）や皮脂量状態（脂っぽさ度チェック）による総合判定により欠点改善の手入れを繰り返し、肌理分析でこの評価シートを使用し始めた状態と比較してその効果を確認することができる。
【００５１】
この肌理分析を行う際に、使用者はシート本体１１の第１ページ１１ａに設けられた肌表面評価表示部１３における４つの肌表面模擬片１３ａ〜１３ｄの表面及び自己の肌表面を手指でこすって、自己の肌表面に最も近似する肌表面模擬片を特定する。使用者は、特定された肌表面模擬片に付記された記載を読んで自己の肌の滑らかさについて客観的に判断（評価）する。
【００５２】
【発明の効果】
以上説明したように、本発明の肌表面状態評価シート及び評価方法によれば、化粧品を購買しようとする者或いは肌の手入れをする者に対し、化粧品の選択や肌の手入れの基準となる自己の肌の状態等種々の要素を、専門家の手を借りずに、自己の触覚を中心に客観的にかつ簡便に評価でき、しかもこれらの要素（分析）を総合して肌の手入れ方法や化粧品の選択についてのアドバイスを受ける（読む）ことができる。
【図面の簡単な説明】
【図１】本発明の一実施形態に係る肌表面状態評価シートの全体を概略的に示す斜視図である。
【図２】図１における肌表面状態評価シートの第１ページ即ち表紙の記載内容を示す平面図である。
【図３】図１における肌表面状態評価シートの第２ページの記載を示す平面図である。
【図４】図１におけるる肌表面状態評価シートの第３ページの記載を示す平面図である。
【図５】図１における肌表面状態評価シートの第４ページ即ち裏表紙の記載を示す平面図である。
【符号の説明】
１０  肌表面状態評価シート
１１ａ  第１ページ
１１ｂ  第２ページ
１１ｃ  第３ページ
１１ｄ  第４ページ
１２  表題欄
１３  肌表面評価表示部
１３ａ〜１３ｄ  肌表面模擬片
１４ａ、１４ｂ  付記欄
１４ｃ  双方向矢印線
１５ａ、１５ｂ  肌理評価表示欄
１６  表題欄
１７  肌角層剥離量表示部
１７ａ〜１７ｄ  肌角層剥離量モデル部
１８ａ〜１８ｃ  付記欄
１９  検査部
２０ａ、２０ｂ  肌角層剥離量評価欄
２１  表題欄
２２  人の顔の絵
２３ａ〜２３ｃ  額皮脂量モデル部
２４ａ〜２４ｃ  頬皮脂量モデル部
２５  皮脂量評価欄
２５ａ  文字表示部
２５ｂ  皮脂量濃度表示部
２６  皮脂量評価欄
２６ａ  文字表示部
２６ｂ  皮脂量濃度表示部
２７  表題欄
２８  肌手入れ法指針表
【図１】
0003569638.tif 000002
【図２】
0003569638.tif 000003
【図３】
0003569638.tif 000004
【図４】
0003569638.tif 000005
【図５】
0003569638.tif 000006